(57)【要約】【課題】  本発明の目的は、道路空間の占用面積を大きくすることなく、設置や取り外しが容易で公衆安全も確保できる広告掲示看板を提供することである。【解決手段】路上設置物１２の少なくとも側面を囲って表面が平坦なカバー１３を配置し、カバー１３の平坦な表面に所定の情報を表示する表示面部１１を貼り付けて構成され、これにより、広告掲示看板自体の道路空間の占用面積を小さくし、必要に応じて密着部１４を設け、カバー１３を路上設置物１２が設置された路上または路上設置物１２に密着させる。【選択図】  図１
2018013517.tif 000002
【特許請求の範囲】
【請求項１】
所定の情報を表示する表示面部と、
路上設置物の少なくとも側面を囲って配置され表面が平坦で前記表示面部が貼り付けられるカバーとを備えたことを特徴とする広告掲示看板。
【請求項２】
前記カバーを前記路上設置物が設置された路上または前記路上設置物に密着させるための密着部を備えたことを特徴とする請求項１に記載の広告掲示看板。
【請求項３】
前記密着部は、前記カバーの下部に設けられた重し、または前記カバーと前記路上設置物の間に設けられ空気が注入される膨張部材、または前記カバーを開閉する留め具であることを特徴とする請求項２に記載の広告掲示看板。
【請求項４】
前記カバーは、前記路上設置物の上面及び側面を覆い被せて配置され、前記密着部は、前記カバーの下部に設けられたシールド部材及び前記カバー内に空気を取り込む空気栓であることを特徴とする請求項２に記載の広告掲示看板。
【請求項５】
前記カバーは、前記路上設置物の表面のうち前記表示面部が貼り付けられる部位に設置され、前記密着部は、前記カバーの背面に取り付けられ前記路上設置物に吸着するマグネット部材であることを特徴とする請求項２に記載の広告掲示看板。
【発明の詳細な説明】
【技術分野】
【０００１】
本発明は、路上設置物に設置される広告掲示看板に関する。
【背景技術】
【０００２】
看板には立て看板や吊看板があり、工事中表示や公共表示、宣伝や広告等の情報を表示するものである。
【０００３】
ここで、地中に埋設した電線の変圧を行うトランス等を収納し且つ地上に設置されるトランスボックスの表面に、化粧が施されたフィルムを密着して貼り付け、トランスボックスの表面への落書き等による各種いたずらを容易且つ効果的に防止するようにしたものがある（特許文献１参照）。
【先行技術文献】
【特許文献】
【０００４】
【特許文献１】実用新案登録第３１９８４３２号公報
【発明の概要】
【発明が解決しようとする課題】
【０００５】
しかし、立て看板や吊看板では路上設置部材や吊設置部材が必要となり、道路空間の占有面積が大きくなり歩行者に迷惑がかかる。立て看板の場合には、公衆安全の確保のための対策として、例えば、風にて飛ばないように重りの設置による対策が必要となる。また、吊看板では、昇降作業が発生するため取り外しに時間がかかる。さらには、短期間の企画やイベントを案内する捨て看板の場合は、資源ロスが発生してしまう。
【０００６】
一方、特許文献１のものでは、フィルムに各種デザインを施すことができ各種情報を表示できるが、トランスボックスの表面は凹凸状であり、トランスボックスの表面にフィルムを貼り付けるには、加熱手段で熱風を当ててフィルムを軟化させながら、同時に貼り付け治具を用いて軟化したフィルムの表面を満遍なくトランスボックスの表面に押し付けて、表面形状に沿うように変形させながら密着させていくことが必要となる。従って、フィルムの設置や取り外しが容易でない。
【０００７】
本発明の目的は、道路空間の占用面積を大きくすることなく、設置や取り外しが容易で公衆安全も確保できる広告掲示看板を提供することである。
【課題を解決するための手段】
【０００８】
請求項１の発明に係る広告掲示看板は、所定の情報を表示する表示面部と、路上設置物の少なくとも側面を囲って配置され表面が平坦で前記表示面部が貼り付けられるカバーとを備えたことを特徴とする。
【０００９】
請求項２の発明に係る広告掲示看板は、請求項１の発明において、前記カバーを前記路上設置物が設置された路上または前記路上設置物に密着させるための密着部を備えたことを特徴とする。
【００１０】
請求項３の発明に係る広告掲示看板は、請求項２の発明において、前記密着部は、前記カバーの下部に設けられた重し、または前記カバーと前記路上設置物の間に設けられ空気が注入される膨張部材、または前記カバーを開閉する留め具であることを特徴とする。
【００１１】
請求項４の発明に係る広告掲示看板は、請求項２の発明において、前記カバーは、前記路上設置物の上面及び側面を覆い被せて配置され、前記密着部は、前記カバーの下部に設けられたシールド部材及び前記カバー内に空気を取り込む空気栓であることを特徴とする。
【００１２】
請求項５の発明に係る広告掲示看板は、請求項２の発明において、前記カバーは、前記路上設置物の表面のうち前記表示面部が貼り付けられる部位に設置され、前記密着部は、前記カバーの背面に取り付けられ前記路上設置物に吸着するマグネット部材であることを特徴とする。
【発明の効果】
【００１３】
請求項１の発明によれば、表面が平坦なカバーで路上設置物の外面を覆いカバーに所定の情報を表示する表示面部を貼り付けるので、広告掲示看板自体の道路空間の占用面積を小さくできる。また、カバーは表面が平坦であるので表示画面部の貼り付けを容易に行える。
【００１４】
請求項２の発明によれば、請求項１の発明効果に加え、密着部によりカバーを路上設置物が設置された路上または路上設置物に密着できるので、風にて広告掲示看板が飛んでしまうことを防止できる。
【００１５】
請求項３の発明によれば、請求項２の発明の効果に加え、密着部は、カバー下部を固定する重し、またはカバーと路上設置物の間に設けられ空気が注入される膨張部材、またはカバーの端部を結合する留め具であるので、簡素な構造で路上または路上設置物に密着できるので、広告掲示看板の設置の安定性を高めることができる。
【００１６】
請求項４の発明によれば、請求項２の発明の効果に加え、前記カバーは、前記路上設置物の上面及び側面を覆い被せて配置され、前記密着部は、カバーの下部がシールド部材でシールドされたカバー内に空気栓から空気を取り込むので、広告掲示看板の設置の安定性を高めることができる。
【００１７】
請求項５の発明によれば、請求項２の効果に加え、カバーは路上設置物の表面のうち表示面部が貼り付けられる部位に設置され、マグネット部材で路上設置物に吸着されるので、カバーは路上設置物の表示面部が貼り付けられる部位だけに設ければよく、簡素な構造で容易にカバーの取り付けや取り外しができる。
【図面の簡単な説明】
【００１８】
【図１】本発明の第１実施形態に係る広告掲示看板の構成図。
【図２】本発明の第２実施形態に係る広告掲示看板の構成図。
【図３】本発明の第３実施形態に係る広告掲示看板の構成図。
【図４】本発明の第４実施形態に係る広告掲示看板の構成図。
【図５】本発明の第５実施形態に係る広告掲示看板の構成図。
【図６】本発明の第６実施形態に係る広告掲示看板の構成図。
【発明を実施するための形態】
【００１９】
以下、本発明の実施形態を説明する。図１は本発明の第１実施形態に係る広告掲示看板の構成図であり、図１（ａ）は斜視図、図１（ｂ）は断面図である。本発明の第１実施形態に係る広告掲示看板は路上設置物に設置される。路上設置物は、例えば、埋設配電線を構成する電気機器、多回路開閉器、地上変圧器、低圧分岐装置等を収納し地上に設置した電気設備であり、通常、幹線道路の歩道に所定間隔で設置されている。
【００２０】
図１（ａ）、図１（ｂ）において、第１実施形態の広告掲示看板は、所定の情報を表示する表示面部１１と、路上設置物１２の外面を覆うカバー１３とから構成される。カバー１３は、例えば、ビニールやアクリルで形成され、表面が平坦であり、路上設置物１２の上面及び側面を覆い被せる形状をしている。そして、カバー１３に表示面部１１が貼り付けられる。表示面部１１には、工事中や駐車場案内等の情報、宣伝や広告等の情報が所定の情報として表示される。電光表示板やポスター等を掲示することもできる。図１（ａ）、図１（ｂ）では、カバー１３は路上設置物１２の上面及び側面を覆い被せるものを示したが、路上設置物１２の側面を囲う形状のものでもよい。
【００２１】
本発明の第１実施形態によれば、表面が平坦なカバー１３で路上設置物１２の外面を覆い、表面が平坦なカバー１３に表示面部１１を貼り付けるだけなので、表示面部１１の貼り付けが容易に行える。また、路上設置物１２を利用するので広告掲示看板自体の道路空間の占用面積を小さくできる。
【００２２】
図２は本発明の第２実施形態に係る広告掲示看板の構成図である。この第２の実施形態は、図１に示した第１実施形態に対し、路上設置物１２が設置された路上にカバー１３を密着させるための密着部１４として、カバー１３の下部に重し１４Ａを設けたものである。図１と同一要素には、同一符号を付し重複する説明は省略する。
【００２３】
図２において、カバー１３は路上設置物１２の上面及び側面を覆い、路面に接する下部は開放している。そのカバー１３の下部に密着部１４としての重し１４Ａが設けられ、カバー１３を路上に密着させる。これにより、カバー１３が風に煽られて飛ぶことを防止できる。図２では、カバー１３は路上設置物１２の上面及び側面を覆い被せるものを示したが、路上設置物１２の側面を囲う形状のものでもよい。
【００２４】
本発明の第２実施形態によれば、第１実施形態の効果に加え、カバー１３が風に煽られて飛ぶことを防止でき、広告掲示看板の設置の安定性を高めることができる。
【００２５】
図３は本発明の第３実施形態に係る広告掲示看板の構成図であり、図３（ａ）は斜視図、図３（ｂ）は断面図である。この第３の実施形態は、図１に示した第１実施形態に対し、カバー１３を路上設置物１２の側面に密着させるための密着部１４として、カバー１３と路上設置物１２の間に膨張部材１４Ｂを設けたものである。図１と同一要素には、同一符号を付し重複する説明は省略する。
【００２６】
図３において、カバー１３は路上設置物１２の上面及び側面を覆い、路面に接する下部は開放している。そのカバー１３と路上設置物１２の側面との間に密着部１４としての膨張部材１４Ｂが設けられ、空気入れ１５にて膨張部材１４に空気を入れて膨張部材１４Ｂを膨張させる。これにより、カバー１３は膨張部材１４を介して路上設置物１２に密着する。図３（ａ）、図３（ｂ）では、膨張部材１４は路上設置物１２の左右側面に設けた場合を示したが、路上設置物１２の前後側面に設けるようにしてもよいし、左右側面及び前後側面に設けてもよい。また、カバー１３は路上設置物１２の上面及び側面を覆い被せるものを示したが、路上設置物１２の側面を囲う形状のものでもよい。
【００２７】
本発明の第３実施形態によれば、第１実施形態の効果に加え、カバー１３は膨張部材１４を介して路上設置物１２に密着するので、広告掲示看板の設置の安定性を高めることができる。
【００２８】
図４は本発明の第４実施形態に係る広告掲示看板の構成図である。この第４の実施形態は、図１に示した第１実施形態に対し、カバー１３を路上設置物１２の側面に密着させるための密着部１４として、カバー１３を開閉する留め具１４Ｃを設けたものである。図１と同一要素には、同一符号を付し重複する説明は省略する。
【００２９】
図４において、カバー１３は路上設置物１２の上面及び側面を覆い、路面に接する下部は開放している。カバー１３には、密着部１４として、カバー１３を開閉する留め具１４Ｃが設けられている。留め具１４Ｃは、例えば、線状のファスナーであり、カバー１３の上面及び背面に設けられている。カバー１３を路上設置物１２に被せる場合には、留め具１４Ｃを開き路上設置物１２の上面及び側面にカバー１３を掛け、留め具１４Ｃを閉じる。これにより、カバー１３は路上設置物１２に密着する。図４では、カバー１３は路上設置物１２の上面及び側面を覆い被せるものを示したが、路上設置物１２の側面を囲う形状のものでもよい。この場合は、留め具１４Ｃを背面に設ける。
【００３０】
本発明の第４実施形態によれば、第１実施形態の効果に加え、カバー１３を留め具１４Ｃで路上設置物１２に密着させるので、広告掲示看板の設置の安定性を高めることができる。
【００３１】
図５は本発明の第５実施形態に係る広告掲示看板の構成図である。この第５の実施形態は、図１に示した第１実施形態に対し、カバー１３は路上設置物１２の上面及び側面を覆い被せて配置され、カバー１３を路上設置物１２の路上または側面に密着させるための密着部１４として、カバー１３の下部に設けられたシールド部材１４Ｄ１及びカバー１３内に空気を取り込む空気栓１４Ｄ２を設けたものである。図１と同一要素には、同一符号を付し重複する説明は省略する。
【００３２】
図５において、カバー１３は路上設置物１２の上面及び側面を覆い、路面に接する下部は開放している。カバー１３の下部には密着部１４としてのシールド部材１４Ｄ１が設けられている。シールド部材１４Ｄ１はカバー１３の下部から空気が漏れないようにシールドするものであり、例えば、粘着性テープや押圧により吸着する吸着パッド等である。また、密着部１４としての空気栓１４Ｄ２は、例えば空気入れ１５からの空気の取込口である。
【００３３】
カバー１３を路上設置物１２に被せてシールド部材１４Ｄ１によりカバー１３の下部から空気が漏れないように路面に密着させる。そして、空気栓１４Ｄ２からカバー１３内に空気を注入する。これにより、カバー１３は路面に密着し、カバー１３内の空気を介して路上設置物１２に安定して取り付けられる。
【００３４】
本発明の第４実施形態によれば、第１実施形態の効果に加え、カバーの下部のシールド部材１４Ｄ１でカバー１３を路面に密着させ、空気栓１４Ｄ２から注入されたカバー１３内の空気により広告掲示看板の設置の安定性を高めることができる。
【００３５】
図６は本発明の第６実施形態に係る広告掲示看板の構成図であり、図６（ａ）は斜視図、図６（ｂ）は断面図である。この第６の実施形態は、図１に示した第１実施形態に対し、路上設置物１２の上面及び側面を覆い被せて配置されるカバー１３に代えて、路上設置物１２の表面のうち表示面部１１が貼り付けられる部位にカバー１３を設置し、カバー１３を路上設置物１２に密着させるための密着部１４として、カバー１３の背面に取り付けられるマグネット部材１４Ｅを設けたものである。図１と同一要素には、同一符号を付し重複する説明は省略する。
【００３６】
図６（ａ）、図６（ｂ）において、カバー１３は、路上設置物１２の表面のうち表示面部１１が貼り付けられる部位に設置される。密着部１４としてのマグネット部材１４Ｅはカバー１３の背面に取り付けられる。マグネット部材１４Ｅは路上設置物１２の表面に吸着して設置される。路上設置物１２が地上に設置される電気設備である場合は、路上設置物１２は金属の筐体で構成されているので、マグネット部材１４Ｅは路上設置物１２の表面に容易に吸着する。これにより、カバー１３は路上設置物１２に安定して取り付けられる。
【００３７】
本発明の第５実施形態によれば、第１実施形態の効果に加え、カバー１３は路上設置物１２の表示面部１１が貼り付けられる部位だけに設ければよいので、簡素な構造で容易にカバー１３の取り付けや取り外しができる。
【００３８】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１１…表示面部、１２…路上設置物、１３…カバー、１４…密着部、１４Ａ…重し、１４Ｂ…膨張部材、１４Ｃ…留め具、１４Ｄ１…シールド部材、１４Ｄ２…空気栓、１４Ｅ…マグネット部材、１５…空気入れ
【図１】
2018013517.tif 000003
【図２】
2018013517.tif 000004
【図３】
2018013517.tif 000005
【図４】
2018013517.tif 000006
【図５】
2018013517.tif 000007
【図６】
2018013517.tif 000008